(57)【特許請求の範囲】
【請求項１】
液体の出入口と、該出入口に連通し、外方に伸びる出入流路とを有する蓄圧タンクと、
該蓄圧タンク内を第１室と第２室とに区画する隔膜と、
該第２室に設けられ、該第１室の容積が小さくなる方向に該隔膜を付勢する付勢手段とを備え、
該出入口を介して該第１室に流入及び流出する液体により該隔膜の少なくとも一部が該出入口から離反及び接近するように変形し、該第１室の容積が増減する蓄圧装置において、
前記出入流路には、流路断面積を狭める絞り部が設けられ、
前記隔膜に連結され、該隔膜の変形に連動して該出入流路の軸方向に進退し、該絞り部を挿通可能な棒状部材を有し、
該棒状部材は、軸に直交する断面積が軸方向で異なっており、
前記隔膜の少なくとも一部が前記出入口に接近することによって、前記第１室内に貯留した蓄圧液体が前記出入流路から流出し、その際に前記絞り部と前記棒状部材との間に形成される隙間面積が変化して流出する前記蓄圧液体の流量が変化することを特徴とする蓄圧装置。
【請求項２】
前記隔膜には、前記棒状部材が前記出入流路の軸方向に沿って進退するように前記蓄圧タンクとの間に案内部材が設けられている請求項１記載の蓄圧装置。
【請求項３】
前記隔膜はダイヤフラムである請求項１又は２記載の蓄圧装置。
【請求項４】
便器本体に連通する洗浄水供給路と、該洗浄水供給路に設けられた開閉弁とを備えた便器洗浄装置において、
前記開閉弁よりも上流側の前記洗浄水供給路に請求項１乃至３のいずれか１項記載の蓄圧装置の前記出入流路が接続されていることを特徴とする便器洗浄装置。
【請求項５】
前記洗浄水供給路は、前記便器本体に形成されたジェット口に連通されるジェット用洗浄水供給路である請求項４記載の便器洗浄装置。
【請求項６】
前記棒状部材は、軸に直交する断面積が前記隔膜側よりも大きい拡大部を有している請求項４又は５記載の便器洗浄装置。
【発明の詳細な説明】
【技術分野】
【０００１】
本発明は蓄圧装置及び便器洗浄装置に関する。
【背景技術】
【０００２】
特許文献１に従来の蓄圧装置及び便器洗浄装置が開示されている。この蓄圧装置は、液体の出入口と、出入口に連通する出入流路とを有する蓄圧タンクを備えている。この蓄圧タンクは、内周面に周縁部が固着保持されたダイヤフラムにより、第１室と第２室とに区画されている。第２室には、大気に常時連通する開口が設けられ、第１室の容積が小さくなる方向にダイヤフラムを付勢するコイルばねが配置されている。また、便器洗浄装置は、便器本体に連通する洗浄水供給路と、洗浄水供給路に設けられた開閉弁とを備えている。開閉弁の上流側の洗浄水供給路には、出入流路に弁装置を介在させた蓄圧装置が接続されている。
【０００３】
この蓄圧装置では、第２室に収納されたコイルばねの付勢力に抗して第１室に貯留された蓄圧水を流出させることができる。また、この蓄圧装置が用いられた便器洗浄装置は、弁装置を開閉操作することにより所定のタイミングで蓄圧装置から蓄圧水を便器本体に供給することができる。このため、便器洗浄を良好に行うことができる。
【０００４】
【特許文献１】特開２００５−１２０７４２号公報
【発明の開示】
【発明が解決しようとする課題】
【０００５】
しかし、上記従来の蓄圧装置では、第１室に貯留された蓄圧水は、第２室のコイルばねの付勢力により流出する。このため、第１室から流出する蓄圧水の流量は、流出開始から徐々に減少する。このため、この蓄圧装置では、蓄圧水の流出途中で流量を極端に減少させたり、減少させた後に増加させたりする等、流量変化を任意に変更することができない。また、この蓄圧装置が用いられた便器洗浄装置では、第１室に貯留された蓄圧水を便器本体に所定のタイミングで供給することができるが、弁装置の開閉操作により制御しなければならず、便器洗浄装置が複雑かつ大型になる。
【０００６】
本発明は、上記従来の実情に鑑みてなされたものであって、流出する蓄圧液体の流量変化を任意に変更することのできる蓄圧装置、及び小型で洗浄性能を向上させた便器洗浄装置を提供することを解決すべき課題としている。
【課題を解決するための手段】
【０００７】
本発明の蓄圧装置は、液体の出入口と、該出入口に連通し、外方に伸びる出入流路とを有する蓄圧タンクと、
該蓄圧タンク内を第１室と第２室とに区画する隔膜と、
該第２室に設けられ、該第１室の容積が小さくなる方向に該隔膜を付勢する付勢手段とを備え、
該出入口を介して該第１室に流入及び流出する液体により該隔膜の少なくとも一部が該出入口から離反及び接近するように変形し、該第１室の容積が増減する蓄圧装置において、
前記出入流路には、流路断面積を狭める絞り部が設けられ、
前記隔膜に連結され、該隔膜の変形に連動して該出入流路の軸方向に進退し、該絞り部を挿通可能な棒状部材を有し、
該棒状部材は、軸に直交する断面積が軸方向で異なっており、
前記隔膜の少なくとも一部が前記出入口に接近することによって、前記第１室内に貯留した蓄圧液体が前記出入流路から流出し、その際に前記絞り部と前記棒状部材との間に形成される隙間面積が変化して流出する前記蓄圧液体の流量が変化することを特徴とする。
【０００８】
この蓄圧装置では、第１室に貯留された蓄圧液体が流出すると、隔膜の少なくとも一部が蓄圧タンクの出入口に徐々に接近するように変形する。棒状部材は、その変形に連動して出入流路における蓄圧液体の流出方向と同じ方向に徐々に前進し、出入流路に設けられた絞り部に挿通される。棒状部材が絞り部に挿通されて移動すると、棒状部材は軸に直交する断面積が軸方向で異なっているため、絞り部との間に形成される隙間面積が変化する。このため、出入流路から流出する蓄圧液体の流量が変化する。よって、棒状部材の軸に直交する断面積を軸方向で任意に変化させることにより、出入流路から流出する蓄圧液体の流量を任意に変更することができる。
【０００９】
したがって、本発明の蓄圧装置は、流出する蓄圧液体の流量変化を任意に変更することができる。
【００１０】
隔膜には、棒状部材が出入流路の軸方向に沿って進退するように蓄圧タンクとの間に案内部材が設けられ得る。この場合、棒状部材を絞り部に干渉させることなく進退させることができる。このため、蓄圧タンクから蓄圧液体を確実に流出させることができる。
【００１１】
隔膜はダイヤフラムであり得る。この場合、出入口の近傍までダイヤフラムの一部を接近させることができる。このため、第１室内の蓄圧水を無駄なく流出させることができる。
【００１２】
本発明の便器洗浄装置は、便器本体に連通する洗浄水供給路と、該洗浄水供給路に設けられた開閉弁とを備えた便器洗浄装置において、
前記開閉弁よりも上流側の前記洗浄水供給路に本発明の蓄圧装置の前記出入流路が接続されていることを特徴とする。
【００１３】
この便器洗浄装置では、蓄圧装置の棒状部材の軸に直交する断面積を軸方向で任意に変化させることにより、蓄圧装置から便器本体に供給される蓄圧水を便器洗浄に適した流量変化にすることができる。これにより、無駄な洗浄水を便器本体に供給することなく、必要なタイミングで便器本体に洗浄水を供給することができる。
【００１４】
したがって、本発明の便器洗浄装置は、小型で洗浄性能を向上させることができる。
【００１５】
洗浄水供給路は、便器本体に形成されたジェット口に連通されるジェット用洗浄水供給路であり得る。この場合、ジェット口へ供給される蓄圧水を汚物排出に効率的に利用することができる。
【００１６】
棒状部材は、軸に直交する断面積が隔膜側よりも大きい拡大部を有し得る。この場合、棒状部材が出入流路の軸方向に前進し、拡大部が絞り部を挿通する間は、蓄圧水の流出流量が減少する。さらに棒状部材が出入流路の軸方向に前進すると、隙間面積が大きくなるため蓄圧水の流出流量が増加する。このように、蓄圧水の流出初期において、大流量の蓄圧水を流出させて、サイホン作用を発生させた後に、一旦、蓄圧水の流出流量を減少させた状態で、サイホン作用を継続させることができる。さらに、その後、蓄圧水の流出流量を増加させることにより、便鉢内の洗浄水に浮遊する汚物やトイレットペーパーを排出することができる。
【発明を実施するための最良の形態】
【００１７】
以下、本発明の蓄圧装置を便器洗浄装置に具体化した実施例１〜３を図面を参照しつつ説明する。
【実施例１】
【００１８】
実施例１の便器洗浄装置に用いられる蓄圧装置は、図１〜図４に示すように、蓄圧タンク１０と、隔膜であるダイヤフラム２０と、付勢手段であるコイルばね３０と、棒状部材４０と、案内部材であるピストン５０とを備えている。
【００１９】
蓄圧タンク１０は、略円筒状の胴部１３Ａと、胴部１３Ａの一端側に洗浄水の出入口１４が形成された第１端部１３Ｂと、胴部１３Ａの他端側に大気に常時連通する空気口１９が形成された第２端部１３Ｃとを有している。第１端部１３Ｂには、出入口１４に連通し、外方に伸びる出入流路１６が設けられている。出入口１４と出入流路１６とは直交し、蓄圧タンク１０の胴部１３Ａの軸心上に、出入口１４の中心及び出入流路１６の軸心が位置している。出入流路１６には、出入口１４を形成しつつ、流路断面積を狭める絞り部１７が設けられている。蓄圧タンク１０の胴部１３Ａの中間位置の内面には、ダイヤフラム２０の周縁部２１が挿入され、固着保持する凹部１８が同一円周上に形成されている。
【００２０】
ダイヤフラム２０の周縁部２１は、凹部１８に挿入され、固着保持されている。蓄圧タンク１０内は、ダイヤフラム２０により、第１室１１及び第２室１２に区画されている。ダイヤフラム２０は、周縁部２１と、周縁部２１に連続し、折り返されて蓄圧タンク１０の胴部１３Ａの内面及びピストン５０の外周面の間に形成される空間に位置する中間部２２と、中間部２２に連続し、蓄圧タンク１０の軸方向に移動可能な中央部２３とから形成されている。
【００２１】
ピストン５０は、一端が閉鎖された略円筒状のピストン本体５１と、ピストン本体５１の閉鎖端部５２の外面中央部に連結され、ダイヤフラム２０の中央部２３を閉鎖端部５２の外面との間で挟持する円盤状の平板５３とを有している。ピストン本体５１の開放端部５５側の外周側面５６は、蓄圧タンク１０の胴部１３Ａの内面に摺動可能に形成されている。このため、ピストン５０は、ダイヤフラム２０の変形とともに、蓄圧タンク１０の軸方向に移動可能である。ピストン本体５１の閉鎖端部５２の内面と、蓄圧タンク１０の第２端部１３Ｃの内面との間に、第１室１１の容積が小さくなる方向にダイヤフラム２０を付勢するコイルばね３０が配置されている。
【００２２】
棒状部材４０は、ピストン５０の平板５３の中心部に連結された円柱状の基部４１と、基部４１の先端に設けられ、軸に直行する断面積が基部４１よりも大きい円柱状の拡大部４２とを有している。棒状部材４０は、ピストン５０とともに蓄圧タンク１０の軸方向に移動し、絞り部１７を挿通可能である。棒状部材４０は、ピストン５０により、出入流路１６の軸方向に沿って進退するように案内されるため、絞り部１７に干渉せずに進退することができる。このため、第１室１１から蓄圧水を確実に流出させることができる。
【００２３】
このような構成の蓄圧装置を用いた便器洗浄装置では、洗浄水供給路Ｒに設けられた開閉弁Ｖよりも上流側の洗浄水供給路Ｒに蓄圧装置の出入流路１６が接続される。洗浄水供給路Ｒの上流側は、図示しない水道管に連通し、下流側は、図示しない便器本体の便鉢に連通している。
【００２４】
図１に示すように、蓄圧タンク１０の第１室１１内に洗浄水が貯留されておらず、開閉弁Ｖが開弁された状態では、洗浄水供給路Ｒ内を洗浄水が流通する。この際、洗浄水は出入流路１６から蓄圧タンク１０内に流入しない。このため、便器本体の便鉢に供給される洗浄水の流量は、洗浄水供給路Ｒの上流側から供給される洗浄水と同じ流量となる。
【００２５】
図２に示すように、開閉弁Ｖが閉弁された状態では、洗浄水供給路Ｒ内の洗浄水には、洗浄水が流通する際の流動圧よりも高い水圧である静水圧が働く。このため、ダイヤフラム２０に対するコイルばね３０の付勢力に抗して、洗浄水が出入流路１６から出入口１４を介して蓄圧タンク１０の第１室１１内に流入する。これにより、コイルばね３０が圧縮されるとともにダイヤフラム２０は変形し、第１室１１の容積が徐々に拡大する。この際、棒状部材４０は、ダイヤフラム２０の変形に連動し、ピストン５０に案内され、出入流路１６の軸方向に沿って後退する。つまり、棒状部材４０は、出入流路１６内の位置（図１）から、絞り部１７に形成された出入口１４を挿通して、第１室１１内の位置（図２）まで後退する。第１室１１内の洗浄水は、圧縮されたコイルばね３０の付勢力により蓄圧された状態の蓄圧水となる。
【００２６】
蓄圧タンク１０の第１室１１内に蓄圧水が貯留された後、開閉弁Ｖが開弁されると、第１室１１内の蓄圧水は、出入口１４から出入流路１６を介して洗浄水供給路Ｒに流出する。これにより、ダイヤフラム２０は変形を開始し、棒状部材４０は、ピストン５０に案内され、出入口１４に向かって前進する。開閉弁Ｖが開弁された後、所定時間が経過するまでは、棒状部材４０は第１室１１内に位置し、出入口１４から離れているため、出入口１４から出入流路１６へ流出する蓄圧水の抵抗にならない。このため、開閉弁Ｖが開弁された後、所定時間が経過するまでの間、大流量の蓄圧水が出入流路１６から洗浄水供給路Ｒに流出する。よって、この間、便器本体の便鉢には、洗浄水供給路Ｒの上流側に連通する水道管から供給された洗浄水と、蓄圧タンク１０の第１室１１から流出する大流量の蓄圧水とが同時に供給される。
【００２７】
その後、徐々に棒状部材４０が出入口１４に近づくにつれて、出入口１４と棒状部材４０の拡大部４２との間隔が徐々に狭くなるため、出入口１４を流出する蓄圧水の抵抗となり、出入口１４から出入流路１６へ流出する蓄圧水の流量は減少する。図３に示すように、棒状部材４０の拡大部４２が絞り部１７を挿通する位置まで前進すると、拡大部４２の外周面と絞り部１７との間に形成される隙間面積Ｓ１が僅かになるため、出入口１４から流出する蓄圧水の流量が激減する。この際、第１室１１内の蓄圧水の減少が遅くなるため、ダイヤフラム２０の変形速度も遅くなり、棒状部材４０の前進速度も遅くなる。拡大部４２が絞り部１７を通過する間は、出入流路１６から洗浄水供給路Ｒに流出する蓄圧水の流量は少なくなる。このため、拡大部４２が絞り部１７を通過する間は、便器本体の便鉢に供給される洗浄水の流量は減少する。つまり、便器本体の便鉢には、洗浄水供給路Ｒの上流側に連通する水道管から供給された洗浄水と蓄圧タンク１０の第１室１１から流出する少流量の蓄圧水とが供給される。
【００２８】
拡大部４２が絞り部１７を通過すると、図４に示すように、棒状部材４０の基部４１が絞り部１７を挿通する状態となる。この状態では、基部４２の外周面と絞り部１７との間に形成される隙間面積Ｓ２が大きくなるため、出入口１４から流出する蓄圧水の流量が増加する。このため、便器本体の便鉢に供給される洗浄水の流量が減少した後に増加することになる。つまり、便器本体の便鉢には、洗浄水供給路Ｒの上流側に連通する水道管から供給された洗浄水と蓄圧タンク１０の第１室１１から流出する増加した流量の蓄圧水とが供給される。その後、蓄圧タンク１０の第１室に貯留された蓄圧水が減少するに従い、出入口１４から流出する蓄圧水の流量は減少するため、便器本体の便鉢に供給される洗浄水の流量も減少する。その後、図１に示すように、ピストン５０の平板５３が第１端部１３Ｂに接するまでダイヤフラム２０が変形し、第１室１１内の蓄圧水を無駄なく流出させることができる。
【００２９】
以上に示すように、実施例１の蓄圧装置では、棒状部材４０の前進に伴い、棒状部材４０と絞り部１７との間に形成される隙間面積が変化し、出入流路１６から流出する蓄圧水の流量が変化する。このため、棒状部材４０の軸に直行する断面積を軸方向で任意に変化させることにより、出入流路１６から流出する蓄圧水の流量を任意に変更することができる。
【００３０】
したがって、実施例１の蓄圧装置は、流出する蓄圧水の流量変化を任意に変更することができる。
【００３１】
また、実施例１の便器洗浄装置では、開閉弁Ｖを開弁した直後に大流量の洗浄水を便器本体の便鉢に供給し、便器本体からの汚物の排出流を形成することができる。その後、汚物の排出流が継続する間は、洗浄水の流量を減少させ、その後、浮遊汚物等を排出するため、洗浄水の流量を増加させる。このように、蓄圧装置から便器本体の便鉢に供給される蓄圧水を便器洗浄に適した流量変化にすることができる。これにより、無駄な洗浄水を便器本体に供給することなく、必要なタイミングで便器本体に洗浄水を供給することができる。
【００３２】
したがって、実施例１の便器洗浄装置は、小型で洗浄性能を向上させることができる。
【実施例２】
【００３３】
実施例２の便器洗浄装置に用いられる蓄圧装置は、図５に示すように、蓄圧タンク６０と、隔膜７０と、付勢手段であるコイルばね３０と、棒状部材４０と、案内部材であるピストン８０とを備えている。
【００３４】
蓄圧タンク６０は、略円筒状の胴部６３Ａの一端部の周縁に形成され、隔膜７０の固定部７１を挿入して固着保持する凹部６４を有している。隔膜７０は、固定部７1と、固定部７１に連続し、蛇腹状に形成された折りたたみ可能な中間部７２と、中間部に連続し、蓄圧タンク６０の軸方向に移動可能な中央部７３とから形成されている。隔膜７０の固定部７１が凹部６４に挿入され固着保持されると、蓄圧タンク６０内は、隔膜７０の内部に形成される第１室６１と、隔膜７０と蓄圧タンク６０との間に形成される第２室６２とに区画される。
【００３５】
ピストン８０は、一端が閉鎖された円筒状のピストン本体８１と、ピストン本体８１の閉鎖端部８２の外面中央部に連結され、隔膜７０の中央部７３を閉鎖端部８２の外面との間で挟持する円盤状の平板８３とを有している。ピストン本体８１の外周側面８４は、蓄圧タンク６０の胴部６３Ａの内面に摺動可能に形成されている。このため、ピストン８０は、隔膜７０の変形とともに、蓄圧タンク６０の軸方向に移動可能である。ピストン本体８１の閉鎖端部８２の内面と、蓄圧タンク６０の第２端部１３Ｃの内面との間に、隔膜７０の中間部７２が折りたたまれる方向、つまり、第１室６１の容積が小さくなる方向に隔膜７０を付勢するコイルばね３０が配置されている。棒状部材４０は、ピストン８０の平板８３の中心部に連結されている。他の構成は、実施例１と同様である。実施例１と同一の構成には同一の符号を付し、詳細な説明を省略する。
【００３６】
このような構成の蓄圧装置を用いた便器洗浄装置は、実施例１の便器洗浄装置と同様の構成を有し、同様の作用効果を奏する。
【実施例３】
【００３７】
実施例３の便器洗浄装置は、図６に示すように、洗浄水供給路Ｒ１と、洗浄水供給路Ｒ１の下流端で分岐されたジェット用洗浄水供給路Ｒ２及びリム用洗浄水供給路Ｒ３とを有している。ジェット用洗浄水供給路Ｒ２に蓄圧装置１００の出入流路１６が接続されている。蓄圧装置１００は、実施例１又は２の蓄圧装置と同一の構成であり、詳細な説明を省略する。
【００３８】
洗浄水供給路Ｒ１の上流端は、便器本体１が設置されるトイレルームの床面又は壁面から引き出された図示しない水道管に接続された止水栓６に接続されている。洗浄水供給路Ｒ１には、上流側から順にストレーナ１０１及び逆止弁１０２Ａが接続されている。
【００３９】
ジェット用洗浄水供給路Ｒ２には、上流側から順に逆止弁１０２Ｂ、定流量弁１０３Ａ、蓄圧装置１００の出入流路１６及びジェット用開閉弁Ｖ１が接続されている。ジェット用洗浄水供給路Ｒ２の下流端は、便器本体１のジェット口に取り付けられたジェットノズル３に連通されている。
【００４０】
リム用洗浄水供給路Ｒ３には、上流側から順に定流量弁１０３Ｂ及びリム用開閉弁Ｖ２が接続されている。リム用洗浄水供給路Ｒ３の下流端は、便器本体１の便鉢２の上部開口周縁に設けられたリムに連通するリムノズル４に連通されている。
【００４１】
次に、このような便器洗浄装置による洗浄工程を説明する。図７に示すように、洗浄開始前は、ジェット用開閉弁Ｖ１及びリム用開閉弁Ｖ２は閉弁されている。このため、蓄圧装置１００では、図２に示すように、第１室１１に蓄圧水が貯留されている。
【００４２】
図示しない洗浄ボタンの操作により鉢洗浄工程が開始される。鉢洗浄工程では、リム用開閉弁Ｖ２が開弁し、図７に示すように、水道管から供給された一定流量の洗浄水がリムノズル４から吐出し、便鉢２を洗浄する。設定時間が経過すると、リム用開閉弁Ｖ２が閉弁し、鉢洗浄工程は終了する。
【００４３】
次に、汚物排出工程が実行される。汚物排出工程では、ジェット用開閉弁Ｖ１が開弁し、水道管から供給された一定流量の洗浄水と、蓄圧装置１００の第１室１１に貯留された大流量の蓄圧水とがジェットノズル３から便器排水路５内に向けて噴射される。これにより、便器排水路５内に大量の洗浄水が勢いよく供給され、強力なサイホン作用が起動される。この間、蓄圧装置１００の第１室１１内に蓄圧された蓄圧水量は減少する。
【００４４】
サイホン作用が発生後において、水道管から供給される洗浄水のみをジェットノズル３から噴出するだけでも、サイホン作用が継続し汚物を排出することができる。このため、大流量の洗浄水をジェットノズル３から噴出させた後は、水道管から供給された一定流量の洗浄水と、図３に示すように、蓄圧装置１００の出入流路１６から流出する小流量の蓄圧水とをジェットノズル３から噴出させる。この間、蓄圧装置１００の第１室１１内に蓄圧された蓄圧水量は、図７に示すように、僅かに減少するのみである。
【００４５】
その後、図４に示すように、蓄圧装置１００の出入流路１６から流出する蓄圧水の流量を増加させ、便鉢２内の洗浄水に浮遊する汚物やトイレットペーパーが排出される。図７に示すように、蓄圧装置１００の第１室１１内に蓄圧された蓄圧水が流出し終えると同時にジェット用開閉弁Ｖ１を閉弁し、汚物排出工程を終了する。
【００４６】
次に、覆水工程が実行される。覆水工程では、リム用開閉弁Ｖ２が開弁し、水道管から供給された一定流量の洗浄水がリムノズル４から吐出し、便鉢２内に供給され、覆水を行う。設定時間が経過すると、リム用開閉弁Ｖ２を閉弁し、覆水工程を終了し、便器洗浄が終了する。
【００４７】
このように、実施例３の便器洗浄装置でも、蓄圧装置１００から便器本体のジェットノズル４に供給される蓄圧水を便器洗浄に適した流量変化にすることができる。これにより、無駄な洗浄水を便器本体に供給することなく、必要なタイミングで便器本体に洗浄水を供給することができる。
【００４８】
したがって、実施例３の便器洗浄装置も、小型で洗浄性能を向上させることができる。
【００４９】
以上において、本発明を実施例１〜３に即して説明したが、本発明は上記実施例に制限されるものではなく、その趣旨に逸脱しない範囲で適宜変更して適用できることはいうまでもない。
【００５０】
例えば、拡大部４２は棒状部材４０の中間部に設けられてもよい。また、拡大部４２は棒状部材４０に複数個設けられてもよい。
棒状部材４０は、軸に直交する断面積が徐々に変化するように形成されてもよい。
棒状部材４０は、ピストン５０、８０の平板５３、８３に着脱自在にしてもよい。この場合、形状の異なる棒状部材４０を用意し、便器の種類ごとに棒状部材４０を付け替えてもよい。このようにすれば、便器洗浄装置を各便器に適した蓄圧水の供給パターンに容易に変更することができる。
【００５１】
蓄圧タンク１０、６０の第２室１２、６２を密閉し、気体を封入してダイヤフラム２０の付勢手段にしてもよい。
案内部材は、隔膜２０、７０の中央部２３、７３から第２室内１２、６２内に伸びる棒材と、蓄圧タンク１０、６０の第２端部１３ｃの内面から第２室内１２、６２内に伸び、この棒材を軸方向に移動可能に挿入する筒体とから構成されてもよい。
蓄圧タンク１０、６０の胴部１３Ａ、６３Ａを軸方向で２分割し、その各分割端部から外方に鍔部を形成し、各鍔部でダイヤフラム２０の周縁部２１又は隔膜７０の固定部７１を挟持し、固定保持してもよい。
【図面の簡単な説明】
【００５２】
【図１】実施例１の蓄圧装置を示す断面図である。
【図２】実施例１の蓄圧装置の蓄圧水の貯留状態を示す断面図である。
【図３】実施例１の蓄圧装置の蓄圧水の流出状態を示す断面図である。
【図４】実施例１の蓄圧装置の蓄圧水の別の流出状態を示す断面図である。
【図５】実施例２の蓄圧装置の蓄圧水の貯留状態を示す断面図である。
【図６】実施例３の便器洗浄装置を示す概略図である。
【図７】実施例３の便器洗浄装置の洗浄工程を示すタイミングチャートである。
【符号の説明】
【００５３】
１…便器本体
１０、６０…蓄圧タンク
１１、６１…第１室
１２、６２…第２室
１４…出入口
１６…出入流路
１７…絞り部
２０、７０…隔膜（ダイヤフラム）
３０…コイルばね（付勢手段）
４０…棒状部材
４２…拡大部
５０、８０…ピストン（案内部材）
Ｒ、Ｒ１、Ｒ２、Ｒ３…洗浄水供給路（Ｒ２…ジェット用洗浄水供給路、Ｒ３…リム用洗浄水供給路）
Ｖ、Ｖ１、Ｖ２…開閉弁（Ｖ１…ジェット用開閉弁、Ｖ２…リム用開閉弁）
【図１】
0005371280.tif 000002
【図２】
0005371280.tif 000003
【図３】
0005371280.tif 000004
【図４】
0005371280.tif 000005
【図５】
0005371280.tif 000006
【図６】
0005371280.tif 000007
【図７】
0005371280.tif 000008